(57)【要約】【課題】市販のマイナスイオン水製造器（水電解装置）を利用し、これにセットすることにより、優れた育毛水を得ることができる水電解装置用補助装置を提供する。【解決手段】水電解装置に接続されて用いられる水電解装置用補助装置であって、原水として２種類以上のものを用い、第１の原水のみを水電解装置に供給させる状態（状態１−１）と第１の原水とその他の原水とを水電解装置へ混合供給する状態（状態１−２）との間で切り替えることができる原水切換手段、及び、操作者が電解処理された水を採取するための補助装置処理水取水口へ陽極電解処理済水を供給する状態（状態３−１）と陰極電解処理済水排出口から排出された陰極電解処理済水を供給する状態（状態３−２）との処理水排水切換手段を有する水電解装置用補助装置。【選択図】図１
2005325447.tif 000002
【特許請求の範囲】
【請求項１】
電解槽内に陽極と陰極とを有する水電解装置の原水供給口、陽極電解処理済水排出口、及び、陰極電解処理済水排出口に接続されて用いられる水電解装置用補助装置であって、、
原水として２種類以上のものを用い、上記水電解装置への供給水として第１の原水のみを該水電解装置に供給させる状態（状態１−１）と該水電解装置への供給水として第１の原水とその他の原水とを該水電解装置へ混合供給する状態（状態１−２）との間で切り替えることができる原水切換手段、及び、、
操作者が電解処理された水を採取するための該水電解装置用補助装置の補助装置処理水取水口へ上記水電解装置の陽極電解処理済水排出口から排出された陽極電解処理済水を供給する状態（状態３−１）と該水電解装置用補助装置の補助装置処理水取水口へ上記水電解装置の陰極電解処理済水排出口から排出された陰極電解処理済水を供給する状態（状態３−２）との処理水排水切換手段を
有することを特徴とする水電解装置用補助装置。
【請求項２】
上記水電解装置の電解槽内の陽極と陰極との間に印加される電圧を無印加とする状態（状態２−０）、印加する状態（状態２−１）とに切り替える電解電圧印加手段を有することを特徴とする請求項１に記載の水電解装置用補助装置。
【請求項３】
上記水電解装置用補助装置の電解電圧切換手段が水電解装置の電解槽内の陽極と陰極との間に電圧を印加する状態（状態２−１）のときに、水電解装置の電解槽内の陽極と陰極との間に印加される該電圧を変更する電解電圧変更手段を有することを特徴とする請求項２に記載の水電解装置用補助装置。
【請求項４】
上記水電解装置の原水供給口へ、薬剤を供給可能とする、にがり添加手段を有することを特徴とする請求項１ないし請求項３のいずれかに記載の水電解装置用補助装置。
【請求項５】
上記水電解装置の原水供給口へ供給する原水の量を減少させる供給水減水手段を有することを特徴とする請求項１ないし請求項４のいずれかに記載の水電解装置用補助装置。
【請求項６】
電解槽内に陽極と陰極とを有する水電解装置の原水供給口、陽極電解処理済水排出口、及び、陰極電解処理済水排出口に接続されて用いられる水電解装置用補助装置であって、、
原水として２種類以上のものを用い、水電解装置への供給水として第１の原水のみを水電解装置に供給させる状態（状態１−１）と水電解装置への供給水として第１の原水とその他の原水とを同時に水電解装置へ供給する状態（状態１−２）との原水切換手段、及び、
操作者が電解処理された水を採取するための該水電解装置用補助装置の補助装置処理水取水口へ上記水電解装置の陽極電解処理済水排出口から排出された陽極電解処理済水を供給する状態（状態３−１）と該水電解装置用補助装置の補助装置処理水取水口へ上記水電解装置の陰極電解処理済水排出口から排出された陰極電解処理済水を供給する状態（状態３−２）との処理水排水切換手段を有する水電解装置用補助装置と
水電解装置とが一体となったことを特徴とする水電解処理装置。
【請求項７】
互いに連動する流路切替弁と流量調整器とからなるマルチポートロータリー弁であって、
前記流路切替弁が内部に円柱状空間を有する外筒と、その内部で回転可能で、外筒内径よりも小さい外径の筒状の内筒とを備え、
該外筒側面に外筒内部に流体を導入し、かつ、外筒外部の配管に接続するための導入配管接続部と、外筒内部の円柱状空間の軸に直交し、かつ、該導入配管接続部が存在する平面に、外筒内部の流体を外筒外へ導出し、かつ、外筒外部の配管に接続するための導出配管接続部と
からなる導入・導出配管接続部を、該外筒内部の円柱状空間の軸に直交する異なった平面α及びβにそれぞれ１組ずつ計２組備え、
外筒の平面αにある導入配管接続部の位置を外筒の軸に対して０°の位置に設けられているとしたときに外筒の平面αにある導出配管接続部は１８０°となる位置に設けられ、
外筒の平面βにある導入配管接続部の位置を外筒の軸に対して０°の位置に設けられているとしたときに外筒の平面βにある導出配管接続部は１８０°となる位置に設けられ、
前記内筒の両底面は水密に閉鎖され、内筒の側面には外筒内に収納されたときに前記外筒内部の円柱状空間の軸に直交し、かつ、一方の導入導出配管接続部が存在する平面αと一致する平面α’に１つ、外筒内に収納されたときに前記外筒内部の円柱状空間の軸に直交し、かつ、他方の導入導出配管接続部が存在する平面βと一致する平面β’に３つ、計４つの、内筒の内部に流体を導入・導出する内筒導入・導出孔を内筒に備え、
内筒側面のこれら４つの内筒導入・導出孔の周囲には内筒導入・導出孔が外筒の導入配管接続部の内壁側あるいは導出配管接続部の内壁側に位置したときにはこれら配管接続部と水密に接続し、外筒内壁のこれら配管接続部のない部分に接触したときには内筒導入・導出孔を水密に閉鎖するパッキン部が突出して設けられ、
平面β’に設けられた３つの内筒導入・導出孔のうちの１つの内筒導入・導出孔が内筒の軸に対して０°の位置に設けられているとしたときに、他の２つの内筒導入・導出孔が９０°及び１８０°の位置にそれぞれ設けられ、かつ、
該内筒が外筒内に収納され、回転したときに、内筒の回転によって、
平面β’に設けられたこれら３つの内筒導入・導出孔のうち１つが平面βに設けられた外筒の導入配管接続部に水密に接続され、他の２つの内筒導入・導出孔が外筒の内壁により水密に閉鎖されたときに平面α’に設けられた内筒導入・導出孔が平面αに設けられた外筒の導出配管接続部に水密に接続され、平面αに設けられた外筒の導入配管接続部から導入された流体が内筒側面と外筒内壁との間の空間を経由して平面βに設けられた外筒の導出配管接続部へ誘導可能となり、かつ、平面βに設けられた外筒の導入配管接続部から導入された流体が内筒内部を経由して平面αに設けられた外筒の導出配管接続部へ誘導可能となるクロス流路状態１、
内筒がその軸に対して上記クロス流路状態１の位置から１８０°回転したときに得られる、平面β’に設けられた上記３つの内筒導入・導出孔のうち、クロス流路状態１では水密に閉鎖された２つの内筒導入・導出孔のうちの１つが平面βに設けられた外筒の導出配管接続部に水密に接続され、他の２つの内筒導入・導出孔が外筒の内壁により水密に閉鎖されたときに平面α’に設けられた内筒導入・導出孔が平面αに設けられた外筒の導入配管接続部に接続し、平面αに設けられた外筒の導入配管接続部から導入された流体が内筒内部を経由して平面βに設けられた外筒の導出配管接続部へ誘導可能となり、かつ、平面βに設けられた外筒の導入配管接続部から導入された流体が内筒側面と外筒内壁との間の空間を経由して平面αに設けられた外筒の導出配管接続部へ誘導可能となるクロス流路状態２、
内筒がその軸に対して上記クロス流路状態１の位置から９０°または２７０°回転したときに得られる、平面β’に設けられた上記３つの内筒導入・導出孔のうち２つがそれぞれ平面βに設けられた外筒の導入配管接続部及び導出配管接続部に水密に接続され、かつ、他の１つの内筒導入・導出孔が外筒の内壁により水密に閉鎖されたときに平面αに設けられた内筒導入・導出孔が外筒内壁によって水密に閉鎖され、平面αに設けられた外筒の導入配管接続部から導入された流体が内筒側面と外筒内壁との間の空間を経由して平面αに設けられた外筒の導出配管接続部へ誘導可能となり、かつ、平面βに設けられた外筒の導入配管接続部から導入された流体が内筒内部を経由して平面βに設けられた外筒の導出配管接続部へ誘導可能となるパラレル流路状態１、及び、
内筒がその軸に対して該パラレル流路状態１の位置から１８０°回転したときに得られる、平面β’に設けられた上記３つの内筒導入・導出孔のうち２つがそれぞれ平面βに設けられた外筒の導入配管接続部及び導出配管接続部に水密に接続され、かつ、他の１つの内筒導入・導出孔が外筒の内壁により水密に閉鎖されたときに平面αに設けられた内筒導
入・導出孔が外筒内壁によって水密に閉鎖され、平面αに設けられた外筒の導入配管接続部から導入された流体が内筒側面と外筒内壁との間の空間を経由して平面αに設けられた外筒の導出配管接続部へ誘導可能となり、かつ、平面βに設けられた外筒の導入配管接続部から導入された流体が内筒内部を経由して平面βに設けられた外筒の導出配管接続部へ誘導可能となるパラレル流路状態２の、
計４つの流路状態を得られる位置に、平面αの外筒の導入配管接続部、平面αの外筒の導出配管接続部、及び、平面α’の内筒導入・導出孔が設けられている流路切替弁であって、
上記流量調整器が流量調整器回転部と流量調整器筒からなり、
該流量調整器回転部が上記流路切替弁の内筒の回転に連動する柱状体であって、その回転軸に垂直な１つの面上に該柱状体の側面から中心に至り、互いに連通する４つの孔が互いに９０°をなすように設けられ、かつ、これら４つの孔の１つの少なくとも一部に他の３つの孔の内径より細い狭隘部が設けられてなり、
流量調整器筒が該流量調整器回転部を回転可能に収納する、円柱状の内部空間を有する流量調整器筒であって、その側面には、該流量調整器回転部を収納したときに流量調整器回転部の側面の上記４つの孔と一致可能な位置に、流量調整器筒の側面に流量調整器筒内部に流体を導入し、かつ、流量調整器筒外部の配管に接続するための導流量調整器導入配管接続部と、該流量調整器筒の軸を中心として該導流量調整器導入配管接続部を０°の位置としたときの９０°の位置に、流量調整器筒内部から流体を外部に誘導し、かつ、流量調整器筒外部の配管に接続するための導流量調整器導出配管接続部とを有し、
該流量調整器回転部が流量調整器筒に収納され、該流量調整器回転部の回転により、その４つの孔のそれぞれが流量調整器筒内部から導流量調整器導入配管接続部あるいは導流量調整器導出配管接続部に一致したときに、該４つの孔のうち一致した孔が導流量調整器導入配管接続部あるいは導流量調整器導出配管接続部とそれぞれ水密に接続され、かつ、該４つの孔のうち流量調整器筒内部の導流量調整器導入配管接続部あるいは導流量調整器導出配管接続部に接続されていない孔が流量調整器筒内壁によって水密に閉鎖される流量調整器である、
ことを特徴とするマルチポートロータリー弁。
【請求項８】
上記流路切替弁の内筒の回転位置が、クロス流路状態１、クロス流路状態２、パラレル流路状態１、または、パラレル流路状態２となるすべての場合で、流量調整器の導流量調整器導入配管接続部と導流量調整器導出配管接続部との間を流体が通過可能となる位置となることを特徴とする請求項７記載のマルチポートロータリー弁。
【請求項９】
上記流路切替弁の内筒の回転位置が、クロス流路状態１あるいはクロス流路状態２のどちらか一方であるとき、および、パラレル流路状態１あるいはパラレル流路状態２のどちらか一方の位置にあるときに、上記流量調整器の流量調整器回転部の狭隘部が設けられた孔が導流量調整器導入配管接続部か導流量調整器導出配管接続部かのいずれか一方と水密に接続することを特徴とする請求項８記載のマルチポートロータリー弁。
【請求項１０】
請求項９記載のマルチポートロータリー弁を備えたことを特徴とする請求項５または請求項６に記載の水電解装置用補助装置。
【請求項１１】
上記水電解装置用補助装置が第１の原水の供給がとまったか、供給量が少なくなったときに、電解槽の陽極と陰極との間の電圧印加を停止させると共に、マルチポートロータリー弁の流路切替弁の内筒と流量調整器の流量調整器回転部とを同一回転方向に９０°回転させてマルチポートロータリー弁の流量調整器の狭隘部を有する孔が導流量調整器導入配管接続部と導流量調整器導出配管接続部とのどちらにも接続しない状態として待機させる待機手段を有することを特徴とする請求項１０に記載の水電解装置用補助装置。
【請求項１２】
前記電解電圧切換手段が、上記待機手段による待機状態において第１の原水の供給が復旧して、電圧印加を再開する迄に、電極に印加する電圧の極性を逆転させる極性反転手段を有することを特徴とする水電解装置用補助装置。
【発明の詳細な説明】
【技術分野】
【０００１】
本発明は、電解槽内に陽極と陰極とを有する水電解装置に付属させるための水電解装置用補助装置に関する。
【背景技術】
【０００２】
特許第３４９０３４９号（特許文献１）に係る育毛水は、優れた効果を得られる真に画期的な育毛水であり、その効果は使用者の８０％（６３人中５１人）に実感された。
【０００３】
上記特許文献１にはこのような育毛水を作製する装置も開示されているが、水電解装置等の知識がない人には容易に作製できるものではなかった。
【特許文献１】特許第３４９０３４９号公報
【発明の開示】
【発明が解決しようとする課題】
【０００４】
本発明は、上記した従来の問題点を改善する、すなわち、市販のマイナスイオン水製造器（水電解装置）を利用し、これにセットすることにより、あるいは／及び、わずかな改造を行うことにより、特許第３４９０３４９号に係る優れた育毛水を得ることができる水電解装置用補助装置を提供することを目的とする。
【課題を解決するための手段】
【０００５】
本発明の水電解装置用補助装置は上記課題を解決するため、請求項１に記載の通り、電解槽内に陽極と陰極とを有する水電解装置の原水供給口、陽極電解処理済水排出口、及び、陰極電解処理済水排出口に接続されて用いられる水電解装置用補助装置であって、、原水として２種類以上のものを用い、水電解装置への供給水として第１の原水のみを水電解装置に供給させる状態（状態１−１）と水電解装置への供給水として第１の原水とその他の原水とを水電解装置へ供給する状態（状態１−２）との間で切り替えることができる原水切換手段、及び、該水電解装置用補助装置の補助装置処理水取水口へ上記水電解装置の陽極電解処理済水排出口から排出された陽極電解処理済水を供給する状態（状態３−１）と該水電解装置用補助装置の補助装置処理水取水口へ上記水電解装置の陰極電解処理済水排出口から排出された陰極電解処理済水を供給する状態（状態３−２）との処理水排水切換手段を有することを特徴とする水電解装置用補助装置である。
【０００６】
また、本発明の水電解処理装置は、請求項６に記載の通り、電解槽内に陽極と陰極とを有する水電解装置の原水供給口、陽極電解処理済水排出口、及び、陰極電解処理済水排出口に接続されて用いられる水電解装置用補助装置であって、、原水として２種類以上のものを用い、水電解装置への供給水として第１の原水のみを水電解装置に供給させる状態（状態１−１）と水電解装置への供給水として第１の原水とその他の原水とを同時に水電解装置へ供給する状態（状態１−２）との原水切換手段、及び、該水電解装置用補助装置の補助装置処理水取水口へ上記水電解装置の陽極電解処理済水排出口から排出された陽極電解処理済水を供給する状態（状態３−１）と該水電解装置用補助装置の補助装置処理水取水口へ上記水電解装置の陰極電解処理済水排出口から排出された陰極電解処理済水を供給する状態（状態３−２）との処理水排水切換手段を有する水電解装置用補助装置と水電解装置とが一体となったことを特徴とする水電解処理装置である。
【発明の効果】
【０００７】
本発明の水電解装置用補助装置によれば、安価に入手できる市販の水電解処理装置（マイナスイオン水製造器）に付属させるだけ、あるいは、小改造を施して付属させるだけで
、本来の水電解処理装置としての機能を損なうことなく、特許第３４９０３４９号に係る育毛水を容易に得ることができる。
【発明を実施するための最良の形態】
【０００８】
本発明の水電解装置用補助装置は基本的には、特許第３４９０３４９号に係る育毛水を得ることができるが、さらに応用することによって、様々な機能を有する異なった機能水を得るモードに設定可能となる。
【０００９】
基本の請求項１に示された構成では、基本的に、
（Ａ）アルカリイオン水（飲料用）得るモード、
（Ｂ）プラスイオン水（洗顔等の皮膚の洗浄に適した水、脱臭水としても使える）を得るモード、
（Ｃ）白髪となった頭髪を、白髪が茶色、灰色、最終的には黒髪となって生えてくるようにする白髪改善・黒髪化機能水を得るモード、
（Ｄ）特許第３４９０３４９号に係る育毛水を得るモード、
の４種類のモードが可能となる。
【００１０】
さらに、請求項４によって示された構成では、基本的に、
（Ｅ）ミネラル豊富なマイナスイオン水（飲料用）を得るモード、
が可能となり、さらに請求項５によって示された構成では、基本的に、
（Ｆ）アルカリイオン水とするのに充分な導電率を有しない原水からアルカリイオン水（飲料用）を得るモード、
（Ｇ）プラスイオン水とするのに充分な導電率を有しない原水からプラスイオン水を得るモード（洗顔等の皮膚の洗浄に適した水、脱臭水としても使える）、
が可能となる。
【００１１】
なお、上記（Ａ）から（Ｇ）モードの７モードのうち、（Ａ）モード及び（Ｂ）モードで得られる機能水は市販の一般的な水電解処理装置でも得られる、周知の機能水である。
【実施例】
【００１２】
以下に本発明の水電解装置用補助装置の実施例について具体的に説明する。
図１に本発明に係る水電解装置用補助装置（図中二点破線で囲まれた部分）を市販のマイナスイオン水製造器（水電解装置）及び水道栓３０に接続された状態で示す。この装置は上述した（Ａ）から（Ｇ）モードの７モード全部を実現するものである。本例の水電解装置用補助装置ではＭＰＵによる制御を行っているために制御可能な電解用電源部１６を用いる改造を施しているが、制御が不要な場合は市販のマイナスイオン水製造器が有する電解用電源部がそのまま使える場合があり、その場合には、本発明に係る水電解装置用補助装置を市販のマイナスイオン水製造器にセットするだけで充分である。
【００１３】
電解槽１内に陽極１ａと陰極１ｂとを有する水電解装置（ここでは電解槽１自体であり、同じく符号１を付す）の原水供給口１ｃ、陽極電解処理済水排出口１ｄ、陰極電解処理済水排出口１ｅとに接続されて用いられる水電解装置用補助装置であって、原水として水道水と温泉水との２種類を用い、水電解装置への供給水として第１の原水（水道水、ただし、成分調整、浄化等は行う場合がある）のみを水電解装置に供給させる状態（状態１−１）と水電解装置への供給水として第１の原水とその他の原水（温泉水２）とを水電解装置へ供給する状態（状態１−２）との間で切り替えることができる原水切換手段、及び、操作者が電解処理された水を採取するための該水電解装置用補助装置の補助装置処理水取水口３へ上記水電解装置１の陽極電解処理済水排出口１ｄから排出された陽極電解処理済水を供給する状態（状態３−１）と該水電解装置用補助装置の補助装置処理水取水口３へ上記水電解装置１の陰極電解処理済水排出口１ｅから排出された陰極電解処理済水を供給する状態（状態３−２）との処理水排水切換手段を有することを特徴とする水電解装置用補助装置であって、上記水電解装置の電解槽１内の陽極１ａと陰極１ｂとの間に印加される電圧を無印加とする状態（状態２−０）、印加する状態（状態２−１）とに切り替える電解電圧印加手段、上記水電解装置用補助装置の電解電圧切換手段が水電解装置の電解槽１内の陽極１ａと陰極１ｂとの間に電圧を印加する状態（状態２−１）のときに、水電解装置の電解槽１内の陽極１ａと陰極１ｂとの間に印加される該電圧を変更する電解電圧変更手段を有し、上記水電解装置の原水供給口１ｃに、薬剤４１を供給可能とする、にがり添加手段を有し、上記水電解装置１の原水供給口１ｃに供給する原水の量を減少させる供給水減水手段を有する。
【００１４】
図中の水道栓３０に接続された取水切替弁３はアルカリイオン水や浄水器関連技術の当業者には周知のもので、取水切替弁３にはスイッチがあり操作者が操作することにより、水道水が直接取水可能となる状態と、電解処理された水を取水する状態とを選ぶことができる。
【００１５】
この取水切替弁３から送られてきた水道水は熱水防止リリース弁４を通過し、狭い装置内の水路を整理するための導水マニホールド５を経てマルチポートロータリー弁６の流量調整器６１に至る。なお導水マニホールドは後述する水冷式冷却装置９を組み込むのにも利用される。
【００１６】
ここで供給される水道水が熱水であった場合、電解槽での過電流を引き起こす、装置を傷める、後述する活性炭に悪影響を及ぼすなどの事故や不都合を引き起こす可能性があり、例えばバイメタル式、または形状記憶合金などを利用した熱水防止リリース弁により排水部７へ排出され、水電解装置用補助装置本体に供給されることはない。
【００１７】
上記水路はマニホールドに至る前に一旦分岐してマルチポートロータリー弁６の流量調整器６１の下流側で再度合流する、電磁弁８ａを備えたバイパス路８を有する。これらマルチポートロータリー弁６の流量調整器６１及びバイパス路８により流量が調整された水道水は公知の流量センサ２１、公知の水冷式冷却装置９、公知の活性炭フィルタ１０、同じく公知のカルシウム添加筒１１を経て、公知の渦流器１２に至る。
【００１８】
流量センサ２１により流れる水量は測定されるが、その値は初期設定としてこの装置の標準水量（この例では８Ｌ／分）になるように初期流量設定弁（図示しない）を用いて設定するときに用い、また、装置の運転中には、断水や故障等で水道水が供給されない状態を検知し、このような状態となったときには電解槽１に流れる電流を止めるなどの安全機構の一部として機能する。
【００１９】
水冷式冷却装置９では水電解装置用補助装置内で整流器、電流感知セメント抵抗等の発熱しやすい機器による発熱による内蔵電子機器等への悪影響を防ぐため、使用する水を利用して、これら発熱機器を冷やす、あるいは、電子機器を冷やすのに用いられる。
【００２０】
また、活性炭フィルタ１０では塩素臭やアオコ臭の除去等の浄水化処理が行われ、公知のカルシウム添加筒１１は流水の一部のみが通過するが、このとき電解槽１へ導入される水全体のカルシウムイオンを増加させる。
【００２１】
渦流器で、水流は渦流を与えられるので、選択弁１３、ポンプ１４及び逆止弁１５を経て供給される天然にがりなどの薬剤４１と均一に混合する。また、温泉水２を電解槽１に供給した後の通水時に、内部の洗浄効果が高まる。
【００２２】
次いで原水供給口１ｃから電解槽１に供給される。電解槽１は公知のもので、市販のアルカリイオン水用に用いられるものをそのまま用いることもでき、この場合、低コストとなる。
【００２３】
電解槽１の陽極１ａ及び陰極１ｂには共に電解用電源部１６が接続されている。電解用電源部１６はこれら電極に印加する電圧を０〜４８Ｖ間で変化させることができ、また極性も変えることができる。部材の説明上、陽極１ａ及び陰極１ｂとしたが、陽極１ｂ及び陰極１ａと読み替え、同時に他の部材名、説明の「陽極」を「陰極」、「陰極」を「陽極」とすることができ、その場合も本発明に含まれる。
【００２４】
陽極電解処理済水は電解槽１の陽極電解処理済水排出口１ｄから、陰極電解処理済水は陰極電解処理済水排出口１ｅから排出され、それぞれ、マルチポートロータリー弁６の流路切替弁に供給される。マルチポートロータリー弁６はマルチポートロータリー弁６に接続するステッピングモーター１７により回転され、マルチポートロータリー弁６の状態により、陽極電解処理済水と陰極電解処理済水とのどちらか一方が、補助装置処理水取水口を有する取水切替弁３に供給され、他方は排水部７へ排出される。
【００２５】
この水電解装置用補助装置には他に制御装置（ＭＰＵ）１８、モード切替や電極への印加電圧調整等が可能な操作スイッチ１９、表示装置２０を有している。ＭＰＵ１８にはデータの一時保管のため、またタイマのための揮発メモリーＲＡＭ、プログラムや定数を保管する不揮発メモリーＲＯＭ、条件を判断し、プログラムを実行し、接続機器を制御するための中央演算装置ＣＰＵ、出力ポートＯ１〜Ｏ６、入力ポートＩ１〜Ｉ３を有する。
【００２６】
ＭＰＵ１８の出力ポートＯ１はステッピングモーター１７に、出力ポートＯ２は電解用電源部１６に、出力ポートＯ３はポンプ１４に、出力ポートＯ４は選択弁１３に、出力ポートＯ５は電磁弁８ａに、そして、出力ポートＯ６はＬＣＤ表示装置２０にそれぞれ接続されている。
【００２７】
ＭＰＵ１８から、出力ポートＯ１を経由してステッピングモーター１７に回転指令信号が、出力ポートＯ２経由で電解用電源部１６に電解槽の電圧印加電圧設定指令信号および極性設定信号が、出力ポートＯ３経由でポンプ１４にオンオフ指令信号が、出力ポートＯ４経由で選択弁１３に選択指令信号が、出力ポートＯ５経由で電磁弁８ａに開閉指令信号が、そして、出力ポートＯ６経由でＬＣＤ表示装置２０に運転状態表示信号及び流量情報信号が、それぞれ出力される。
【００２８】
一方、入力ポートＩ１は流量センサ２１に、入力ポートＩ２は電解用電源部１６に、そして入力ポートＩ３は操作スイッチ１９にそれぞれ接続されていて、入力ポートＩ１には流量センサ２１からの流量値が、入力ポートＩ２からは電解電流値が、そして入力ポートＩ３には操作スイッチ１９の操作状態が、ＭＰＵ１８に入力される。
【００２９】
次に、マルチポートロータリー弁について図を用いて説明する。図２にマルチポートロータリー弁の外観を示す。このマルチポートロータリー弁６は後述するように外筒部内部に内筒部が収納されている。
【００３０】
このマルチポートロータリー弁は機能的には大きく分けて流路切替弁６２と流量調整器６１に分けられ、互いに連動する。
【００３１】
以下、流路切替弁６２と流量調整器６１とに便宜的に分けて説明する。図３（ａ）にマルチポートロータリー弁の外筒部の斜視図、図３（ｂ）に図３（ａ）右側から見た側面図、図３（ｃ）に外筒部の軸を含む平面で切った、断面図をそれぞれ示す。
【００３２】
また、図３（ｄ）には内筒部の斜視図を、内筒部からパッキン部材を除去し、蓋部がはずれた、分解斜視図を図３（ｅ）に、その、内筒部軸を含む断面での断面図を図３（ｆ）に、図３（ｆ）の平面αでの断面を図３（ｇ）に、図３（ｆ）の平面βでの断面を図３（ｈ）に、そして、図３（ｆ）の平面γでの断面を図３（ｉ）にそれぞれ示した。
【００３３】
内筒部６２２の内部には空間があり、組み立てられた状態（図３（ｄ）に示された状態）では内筒の両底面は水密となっている。
【００３４】
この流路切替弁６２は、内部に円柱状空間を有する、円筒状の外筒６１２と、外筒６１２の内部で回転可能で、外筒６１２の内径よりも小さい外径を有する筒状（ここでは円筒状）の内筒６１１とを備え、該外筒６１２側面に外筒６１２内部に流体を導入し、かつ、外筒６１２外部の配管に接続するための導入配管接続部６２１１と、外筒６１２の内部に円柱状空間の軸に直交し、かつ、該導入配管接続部６２１１が存在する平面に、外筒６１２内部の流体を外筒６１２外へ導出し、かつ、外筒６１２外部の配管に接続するための導出配管接続部６２１２とからなる導入・導出配管接続部を、該外筒内部の円柱状空間の軸に直交する異なった平面α及びβにそれぞれ１組ずつ計２組備え、外筒６１２の平面αにある導入配管接続部６２１１αの位置を外筒の軸に対して０°の位置に設けられているとしたときに外筒の平面αにある導出配管接続部６２１２αは１８０°となる位置に設けられている。外筒６１２はここでは円筒形状としたが、内部に内筒６１１を収納し、かつ、内筒６１１が回転可能な円柱状空間を有すれば外部の形状には限定されない。
【００３５】
また、外筒６１２の平面βにある導入配管接続部６２１１βの位置を外筒６１２の軸に対して０°の位置に設けられているとしたときに外筒６１２の平面βにある導出配管接続部６２１２βは１８０°となる位置に設けられている。
【００３６】
ここで、前記内筒６１１の両底面は上述のように水密に閉鎖され、内筒６１１の側面には外筒６１２内に収納されたときに前記外筒６１２の円柱状空間の軸に直交し、かつ、一方の導入導出配管接続部（６２１１αと６２１２αとからなる）が存在する平面αと一致する平面α’に１つ（内筒導入・導出孔６２２１α）、外筒６１２内に収納されたときに前記外筒６１２の円柱状空間の軸に直交し、かつ、他方の導入導出配管接続部（６２１１βと６２１２βとからなる）が存在する平面βと一致する平面β’に３つ（内筒導入・導出孔６２２１β１、６２２１β２及び６２２１β３（内筒導入・導出孔６２２１β３は図示しない））、計４つの、内筒６１１の内部に流体を導入・導出する内筒導入・導出孔を内筒６１１に備えている。
【００３７】
内筒６１１側面のこれら４つの内筒導入・導出孔（６２２１α、６２２１β１〜３）の周囲には内筒導入・導出孔が外筒６１２の導入配管接続部６２１１の内壁側あるいは導出配管接続部６２１２の内壁側に位置したときにはこれら配管接続部と水密に接続し、外筒６１２内壁のこれら配管接続部のない部分に接触したときには内筒導入・導出孔を水密に閉鎖するパッキン部６２２２α、６２２２β１〜３（パッキン部６２２１β３は図示しない）が突出して設けられている。ここで、筒状の内筒６１１は円筒状のものとしたが、外筒６１２内部に収納されて回転し、かつ、上記のような水密な接続、あるいは、水密な閉鎖が可能となる限りにおいて、筒状の内筒６１１は円筒形状に限定されず、三角筒、四角筒やより多角な筒状などでもよく、その場合も本発明に含まれる。
【００３８】
また、平面β’に設けられた３つの内筒導入・導出孔６２２１β１〜３のうちの１つの内筒導入・導出孔（本例では６２２１β１）が内筒６１１の軸に対して０°の位置に設けられているとしたときに、他の２つの内筒導入・導出孔（本例ではそれぞれ６２２１β２及び６２２１β３）が９０°及び１８０°の位置にそれぞれ設けられている。
【００３９】
ここで、この流路切替弁では内筒６１１が外筒内に収納され、回転したときに、内筒６１１の回転によって、次に示す、クロス流路状態１及び２、パラレル流路状態１及び２の、計４つの流路状態を得られる位置に、平面αの外筒６１２の導入配管接続部６２１１α、平面αの外筒の導出配管接続部６２１２α、及び、平面α’の内筒導入・導出孔６２２１αが設けられている。
【００４０】
ここでクロス流路状態１とは、図４（ｃ）に模式的に示された状態であり、平面β’に設けられたこれら３つの内筒導入・導出孔６２２１β１〜３のうち１つが平面βに設けられた外筒６１２の導入配管接続部６２１１βに水密に接続され、他の２つの内筒導入・導出孔が外筒６１２の内壁により水密に閉鎖されたときに平面α’に設けられた内筒導入・導出孔６２２１αが平面αに設けられた外筒６１２の導出配管接続部６２１２αに水密に接続され、平面αに設けられた外筒６１２の導入配管接続部６２１１αから導入された流体が内筒６１１側面と外筒６１２内壁との間の空間を経由して平面βに設けられた外筒６１２の導出配管接続部６２１２βへ誘導可能となり、かつ、平面βに設けられた外筒６１２の導入配管接続部６２１１αから導入された流体が内筒６１１内部を経由して平面αに設けられた外筒６１２の導出配管接続部６２１２βへ誘導可能となる状態である。
【００４１】
クロス流路状態２とは図４（ａ）に模式的に示された状態であり、内筒６１１がその軸に対して上記クロス流路状態１の位置から１８０°回転したときに得られる、平面β’に設けられた上記３つの内筒導入・導出孔６２２１β１〜３のうち、クロス流路状態１では水密に閉鎖された２つの内筒導入・導出孔のうちの１つが平面βに設けられた外筒６１２の導出配管接続部６２１２βに水密に接続され、他の２つの内筒導入・導出孔が外筒６１２の内壁により水密に閉鎖されたときに平面α’に設けられた内筒導入・導出孔６２２１αが平面αに設けられた外筒６１２の導入配管接続部６２１１αに接続し、平面αに設けられた外筒６１２の導入配管接続部６２１１αから導入された流体が内筒６１１内部を経由して平面βに設けられた外筒６１２の導出配管接続部６２１２βへ誘導可能となり、かつ、平面βに設けられた外筒６１２の導入配管接続部６２１１βから導入された流体が内筒６１１側面と外筒６１２内壁との間の空間を経由して平面αに設けられた外筒６１２の導出配管接続部６２１２αへ誘導可能となる状態である。
【００４２】
パラレル流路状態１とは、図４（ｂ）または（ｄ）で示された状態であり、内筒６１１がその軸に対して上記クロス流路状態１の位置から９０°または２７０°回転したときに得られる、平面β’に設けられた上記３つの内筒導入・導出孔６２２１β１〜３のうち２つがそれぞれ平面βに設けられた外筒６１２の導入配管接続部６２１１β及び導出配管接続部６２１２βに水密に接続され、かつ、他の１つの内筒導入・導出孔が外筒６１２の内壁により水密に閉鎖されたときに平面αに設けられた内筒導入・導出孔６２２１αが外筒６１２内壁によって水密に閉鎖され、平面αに設けられた外筒６１２の導入配管接続部６２１１αから導入された流体が内筒６１１側面と外筒６１２内壁との間の空間を経由して平面αに設けられた外筒６１２の導出配管接続部６２１２αへ誘導可能となり、かつ、平面βに設けられた外筒６１２の導入配管接続部６２１１βから導入された流体が内筒６１１内部を経由して平面βに設けられた外筒６１２の導出配管接続部６２１２βへ誘導可能となる状態である。
【００４３】
そしてパラレル流路状態２とは、図４（ｂ）または（ｄ）で示された状態であって、内筒６２１がその軸に対して上記パラレル流路状態１の位置から１８０°回転したときに得られる、平面β’に設けられた上記３つの内筒導入・導出孔６２２１β１〜３のうち２つがそれぞれ平面βに設けられた外筒６１２の導入配管接続部６２１１β及び導出配管接続部６２１２βに水密に接続され、かつ、他の１つの内筒導入・導出孔が外筒６１２の内壁により水密に閉鎖されたときに平面αに設けられた内筒導入・導出孔６２２１αが外筒６１２内壁によって水密に閉鎖され、平面αに設けられた外筒６１２の導入配管接続部６２１１αから導入された流体が内筒６１１側面と外筒６１２内壁との間の空間を経由して平面αに設けられた外筒６１２の導出配管接続部６２１２αへ誘導可能となり、かつ、平面βに設けられた外筒６１２の導入配管接続部か６２１１βら導入された流体が内筒６１１内部を経由して平面βに設けられた外筒６１２の導出配管接続部６２１２βへ誘導可能となる。
【００４４】
このように流路切替弁６２によれば、水電解装置用補助装置の補助装置処理水取水口へ上記水電解装置の陽極電解処理済水排出口から排出された陽極電解処理済水を供給する状態（状態３−１）と該水電解装置用補助装置の補助装置処理水取水口へ上記水電解装置の陰極電解処理済水排出口から排出された陰極電解処理済水を供給する状態（状態３−２）を容易に選択することができる。
【００４５】
次に、マルチポートロータリー弁６の流量調整器６１について、図３を用いて説明する。
【００４６】
流量調整器６１は流量調整器筒６１１と流量調整器回転部６１２とからなり、本例では流量調整器筒６１１は上記流路切替弁６２の外筒６１２と一体に、流量調整器回転部６１２は上記流路切替弁６２の内筒６２２と一体に作られている。
【００４７】
流量調整器回転部は上記流路切替弁６２の内筒６１１の回転に連動する柱状体であって、その回転軸に垂直な１つの面γ’上に該柱状体の側面から中心に至り、互いに連通する４つの孔６１２１、６１２２、６１２３及び６２１４（孔６１２４のみ図示しない）が互いに９０°をなすように設けられ、かつ、これら４つの孔の１つ（この例では孔６１２１）の少なくとも一部に他の３つの孔の内径より細い狭隘部が設けられている（この例では孔６１２１は全体が狭隘部となっている）。また、流量調整器回転部６１２側面の各孔の周囲にはパッキン部材による突出部６１２５が設けられている。
【００４８】
流量調整器筒６１１は流量調整器回転部６１２を回転可能に収納する円柱状空間を有する、ここでは円筒状の流量調整器筒であって、その側面には、該流量調整器回転部６１２を収納したときに流量調整器回転部６１２の側面の上記４つの孔と一致可能な位置に、すなわち、流量調整器回転部６１２における上記平面γ’と同一となる面γに、流量調整器筒６１１の側面に流量調整器筒６１１内部に流体を導入し、かつ、流量調整器筒６１１外部の配管に接続するための導流量調整器導入配管接続部６１１１と、該流量調整器筒６１１の軸を中心として該導流量調整器導入配管接続部６１１１を０°の位置としたときの９０°の位置に、流量調整器筒６１１内部から流体を外部に誘導し、かつ、流量調整器筒６１１外部の配管に接続するための導流量調整器導出配管接続部６１１２とを有している。ここでは、流量調整器筒６１１は円筒状としたが、内部に流量調整器回転部６１２を回転可能に収納する円柱状空間を有すればよく、外形は限定されない。
【００４９】
流量調整器回転部６１２が流量調整器筒６１１に収納され、流量調整器回転部６１２の回転により、その４つの孔６１２１〜６１２４のそれぞれが流量調整器筒６１１内部の導流量調整器導入配管接続部６１１１あるいは導流量調整器導出配管接続部６１１２に一致したときに、孔６１２１〜６１２４のうち一致した孔が導流量調整器導入配管接続部あるいは導流量調整器導出配管接続部と上記突出部６１２５とによりそれぞれ水密に接続され、かつ、孔６１２１〜６１２４の孔のうち、流量調整器筒６１１内部の導流量調整器導入配管接続部６１１１あるいは導流量調整器導出配管接続部６１１２に接続されていない孔が流量調整器筒６１１内壁と上記突出部６１２５とによって水密に閉鎖される流量調整器である。ここで、流量調整器回転部６１２は円筒状のものを示したが、流量調整器筒６１１に収納されて回転可能であり、かつ、上記水密での接続、及び、水密での閉鎖が可能であれば、円柱形状に限定されることがなく、例えば四角柱形状、八角柱形状等であってもよく、その場合も本発明に含まれる。
【００５０】
さらに本例は、図４（ａ）〜図４（ｄ）に示したように、上記流路切替弁の内筒の回転位置が、クロス流路状態１、クロス流路状態２、パラレル流路状態１、または、パラレル流路状態２となるすべての場合で、流量調整器の導流量調整器導入配管接続部と導流量調整器導出配管接続部との間を流体が通過可能となる位置となり、かつ、上記流路切替弁６２の内筒６１１の回転位置が、図４（ｃ）で示されるクロス流路状態１と図４（ｄ）で示される状態であるときに、上記流量調整器の流量調整器回転部の狭隘部が設けられた孔６１２１が導流量調整器導入配管接続部６１１１か導流量調整器導出配管接続部６１１２かのいずれか一方と水密に接続するマルチポートロータリー弁６である。
【００５１】
なお、図３中符号６２３を付したのはフランジ、６２４を付したのは、マルチポートロータリー弁６を固定する際に使用に供する固定用穴、６２５は内筒部を外部から回転させるための操作部である。
【００５２】
なお、マルチポートロータリー弁に関する説明において、説明の便宜上「導入」、「導出」の語を用いたが、これら語は設置方法、使用方法（流体の流し方）に左右され、上記説明で流体の流れ方向を逆とするとともに「導入」としたところを「導出」と、「導出」としたところを「導入」と読み替えてもよく、その場合も当然本発明に含まれる。
【００５３】
次に本水電解装置用補助装置を市販のマイナスイオン水製造器（水電解装置）の操作及び動作について説明する。
【００５４】
図１において、水電解装置用補助装置の図示しない電源スイッチをオンとし電源を投入する。
【００５５】
このとき、マルチポートロータリー弁６は図４（ａ）に示される状態となる。また、これは狭隘な孔６１２１が水流に関与しない状態となり、この孔６１２１ないしその付近に硬水成分（カルシウム、マグネシウム等の化合物）が沈着して水流が滞ったり、沈着物によりマルチポートロータリー弁６の内筒部の回転が妨げられたりする障害を防止するためである。
【００５６】
初期流量設定は次のように行う。電源投入後、水道栓３０を全開とする。このとき、流量センサ２１が装置内を流れる水の流量を測定しインポートＩ１を介してＭＰＵ１８へ出力する。ＭＰＵ１８はこの値を表示装置２０に出力する。操作者は図示しない初期流量設定弁を操作して、装置の標準水量（この例では８Ｌ／分）になるように調整する。ここで、水量が標準水量となると表示装置のＬＥＤが点滅する。なお、水量が適量である場合には調整を行う必要がないので、通常は装置の設置時や活性炭フィルタ交換時、あるいは季節的な変動が多いときのみ行う。
【００５７】
モードの切換は基本的に待機状態、すなわち非通水状態で行う。
【００５８】
電源投入後、操作者は、（Ａ）から（Ｇ）モードのいずれかを選択する。ただし電源投入後、モードを選択せずに、通水を開始した場合には（Ａ）モードで運転が開始される。
【００５９】
各モードにおいて、通水が停止された場合、流量センサ２１がそれを検知するとＭＰＵ１８は電解槽１の電極への電圧印加を停止するとともに、マルチポートロータリー弁６を９０°回転させて図４（ａ）か図４（ｂ）に示される状態となって待機状態に入る。これはこれら図４（ａ）及び図４（ｂ）に示される状態では流量調整器６１の狭隘な孔６１２１が水流に関与しない状態、すなわち、流量調整器６１の狭隘な孔６１２１導流量調整器導入配管接続部と導流量調整器導出配管接続部とのどちらにも接続しない状態となり上記の同様の効果が得られると共に、流路切替弁６２の内部の、内筒６１１内部、及び、内筒６１１側面と外筒６１２内壁との間の空間には、そのときに残っている水流により運転中とは逆のイオンが豊富な水が上記流路切替弁６２内部の２つの空間に供給されるので、カルシウムやマグネシウム化合物等の沈着が防止され、マルチポートロータリー弁の機能の障害発生が未然に防止される。なお、薬剤４１や温泉水２の装置への導入が行われていた場合は上記電圧印加が停止されると同時にそれらに用いられていた、ポンプ１４の動作も終了する。
【００６０】
このような、水電解装置用補助装置が第１の原水の供給がとまったか、供給量が少なく
なったときに、電解槽の陽極と陰極との間の電圧印加を停止させると共に、マルチポートロータリー弁の流路切替弁の内筒と流量調整器の流量調整器回転部とを同一回転方向に９０°回転させてマルチポートロータリー弁の流量調整器の狭隘部を有する孔が導流量調整器導入配管接続部と導流量調整器導出配管接続部とのどちらにも接続しない状態として待機させる待機手段は流量センサ２１、電解用電源部１６、マルチポートロータリー弁に接続されたステッピングモーター１７、及びこれらを制御するＭＰＵ１８から構成することができる。
【００６１】
通水が再開されれば、流量調整器６１の狭隘な孔６１２１が水流に関与しない状態のモード（（Ａ）、（Ｂ）及び（Ｅ）の３モード）の場合にはマルチポートロータリー弁の内筒部はそのままの状態で、それ以外のモードではマルチポートロータリー弁の内筒部はさらに１８０°回転して、電解槽１の電極への電圧印加が開始され、停止前と同じモードが再開される。しかし、このとき、電解槽１の電極に印加する電圧は、印加停止前と逆で印加される。これにより、電解槽の各電極より下流でマルチポートロータリー弁までの範囲で、再開前とは逆のイオンが豊富な水がながれるので、これら範囲での、カルシウムやマグネシウム化合物等の沈着が防止され、マルチポートロータリー弁の機能の障害発生がより効果的に未然に防止される。
【００６２】
ここで、このようなことは、電解電圧切換手段が、上記待機手段による待機状態において第１の原水の供給が復旧して、電圧印加を再開する迄に、電極に印加する電圧の極性を逆転させる極性反転手段を有すると容易に実行することができ、そのような極性反転手段は、流量センサ２１、印加電圧の極性を変更できる電解用電源部１６、及びこれらを制御するＭＰＵ１８から構成することができる。
【００６３】
上述のようにモードの切換は基本的に待機状態、すなわち非通水状態で行う。あらたに選択されたモードが、流量調整器６１の狭隘な孔６１２１が水流に関与しない状態、すなわち、流量調整器６１の狭隘な孔６１２１導流量調整器導入配管接続部と導流量調整器導出配管接続部とのどちらにも接続しない状態となるモード（（Ａ）、（Ｂ）及び（Ｅ）の３モード）の場合にはマルチポートロータリー弁の内筒部はそのままの状態で、それ以外のモードではマルチポートロータリー弁の内筒部はさらに１８０°回転して、電解槽１の電極への電圧印加が開始され、停止前と同じモードが再開される。このとき必要に応じて、電解槽１の電極に印加する電圧を、それ以前のモードでの印加停止前とは逆で印加する。
【００６４】
以下、各モード別に説明する。
＜（Ａ）モード＞
（Ａ）モードは周知のアルカリイオン水を得る陰極水であり、本来的には水電解装置用補助装置を必要としない。得られる水はｐＨが９〜１０程度、酸化還元電位は−５０〜−７３０ｍＶである。
【００６５】
このときの装置の主要部の状況をモデル的に図５に示す。図５（ａ）はマルチポートロータリー弁が図４（ｂ）の状態に、図５（ｂ）はマルチポートロータリー弁が図４（ａ）の状態になっている場合のモデル図である。
【００６６】
水量は計８Ｌ／分で電解槽１からの陽極電解処理済水、陰極電解処理済水はそれぞれ４Ｌ／分である。電流の上限は５Ａ。
【００６７】
なお、操作スイッチ１９にある電圧調整ボタン（図示しない）を１回操作する度に、電解用電源部１６により電解槽１の電極間に印加される電圧は弱（１４Ｖ）、中（３５Ｖ）及び強（３５Ｖ）の間で切り替わる。
【００６８】
ただし、弱設定は１４Ｖで固定であり、中設定の時は通水後３秒間は通電せずに水路を洗浄したのち、最初１４Ｖを印加し電流値が５Ａに満たないときは自動的に３５Ｖ印加する。５Ａを超えたときは１４Ｖに戻す。強設定のときには通水後３秒間は通電せずに水路を洗浄したのち、１４Ｖ印加し、電流値が５Ａに満たない場合には３５Ｖ印加し、このときまだ電流値が５Ａに達しなければ４８Ｖ印加する。５Ａを超えた場合には一段下げ、そのとき電流値が３Ａに達していなければ再度一段高い電圧に設定する。
【００６９】
＜（Ｂ）モード＞
（Ｂ）モードは周知の肌水、アストリンゼント効果があるとして用いられている通常電解水（陽極水）を得るモードである。
【００７０】
図６（ａ）はマルチポートロータリー弁が図４（ｂ）の状態に、図６（ｂ）はマルチポートロータリー弁が図４（ａ）の状態になっている場合の（Ｂ）モード時の各種設定を示すモデル図である。
【００７１】
印加電圧は初期値が３５Ｖ、水量は計８Ｌ／分で電解槽１からの陽極電解処理済水、陰極電解処理済水はそれぞれ４Ｌ／分である。電流の上限は５Ａであり、これを越えたときには１４Ｖに下げる。
【００７２】
＜（Ｃ）モード＞
水道水原水に一定の成分を持った天然の温泉水を添加し電解処理を行ったときの陰極水であり、白髪改善を目的とした水である。
【００７３】
使用する温泉水は天然温泉で１ｋｇの温泉水中に陽イオンとして、ナトリウムイオン５０ｍｇ以上、カリウムイオン６０ｍｇ以上、マグネシウムイオン５０ｍｇ以上、カルシウムイオン５０ｍｇ以上を有し、陰イオンとして、塩素イオン１０ｍｇ以上、硫酸イオン１５００ｍｇ以上を有する温泉水をそのまま用いる。  生成される水はｐＨ２．９〜４の酸性を示し電位的には＋１００〜２５０ｍＶの還元傾向を示す。この水をスプレー等で白髪が生えている部分の頭皮に１回に約４０ｍＬを、数日に１回〜一日数回程度かけると白髪が改善される。これは頭皮付近の細胞内の水分を通じてメラノサイトを刺激することによるものと考えられる。
【００７４】
このときの装置の主要部の状況をモデル的に図７に示す。図７（ａ）はマルチポートロータリー弁が図４（ｄ）の状態に、図７（ｂ）はマルチポートロータリー弁が図４（ｃ）の状態になっている場合のモデル図である。
【００７５】
マルチポートロータリー弁６を通じて供給される水道水（第１の原水）は１．６〜２Ｌ／分、温泉水２がこれと混合するように、選択弁１３がセットされポンプ１４が作動する。
【００７６】
印加電圧はまず１４Ｖとし、電解電流が１０Ａに達するまでポンプ１４の吐出流量を上げる。このとき温泉水の流量は８０〜１００ｍＬ／分となる。電流が７Ａに満たないときには印加電圧を２０Ｖに上昇させる。
【００７７】
この条件で、蔵王温泉源七露天の湯（山形県山形市蔵王温泉字荒敷８６２番１、酸性・含硫黄−アルミニウム−硫酸塩・塩化物温泉（旧泉質名：含硫化水素強酸性明ばん泉））を用いて得た処理水についてのモニターテスト結果を３例示す。
【００７８】
いずれも特に記載がない限り、モニター開始から１日１回ないし２回それぞれ４０ｍＬ
の処理水をスプレーで白髪が生えている部分の頭皮にかけた結果であり、これらにより、Ｃモードに係る処理水の白髪改善効果が明らかとなった。特に顕著なのは白髪のグレーないし黒髪化であるはが、髪の毛に力強さが生じ、また、みずみずしさが発現すると云う効果も大きい。また、違和感、アレルギー等の異常を訴えたモニターはいなかった。
【００７９】
なお、特許第３４９０３４９号に係る育毛水（陽極水）を用いた場合にその副次効果として白髪が黒髪に変わる場合が見られるが、Ｃモードに係る陰極水の方が、遙かに確実に効果が得られ、その効果も１０日前後に発現する（上記陽極水の場合には効果がある場合であっても、その発現は遙かに遅い）など、使用の「継続」を可能とする「やる気」を生じさせる。
【００８０】
＜＜川越市在住  ５２歳  女性＞＞
１２年前頃から白髪が出始め茶系のカラーリングが欠かせなくなりました。白髪になって困ったことは、カラーリングの１０日後から生え際に白いものが目立つことと、髪の毛の水分が少なくなるせいか、前髪の部分がぺタッーとし、バサバサの髪になることです。
【００８１】
モニターとなって使用開始直後は毎日２回スプレーでかけていましたが１０日位たつと白髪の部分が茶色ぽく見えるようになり、２０日目から黒に近いグレイになってきました。それで現在は３日に１回位の割合で頭にかけています。カラーリングでの色とは違いますが茶色のままで保っており、はえぎわの白髪が目立たなくなりました。驚いたことに、かけ続けている間は生えてくるのも茶色なのです。ボリュームが増した感じがし、とっても喜んでおります。
【００８２】
＜＜熊谷市在住  ３８歳  男性＞＞
２０代後半から白髪が出始め、１５日に１回位白髪染めを行ってきました。染めた後、１０日もすると生え際の所に白髪が目立ち始め部分染めをしなければなりませんでした。モニターを薦められましたがとても信じる気にはなりませんでした。が、推薦した人に「俺の頭を見てみろ」といわれ、その頭を見て、試してみる気になりました。試用開始後２週間くらいから伸びてきた毛が茶色に成り始め３週目頃から黒に近いグレイに変わってきました。試用開始から３ヶ月が過ぎました。未だ真っ黒にはなっていません。ただ、生え際の白髪が全く目立たなくなりました。驚くことには、かけ続けている限り生えてくる毛もグレイなのです。ほとんど生え際が気にならなくなりました。
【００８３】
＜＜川島町在住  ４４歳  男性＞＞
私は５年位前から白髪が増え始め、現在では前頭部の半分位白髪が混じるようになりました。別に気にはしていなかったのですが白髪が多く混じるようになって髪の毛が細くなり、水気のないがさついた状態が気になっていました。モニターをすすめられ、そんな馬鹿なとは思いましたが冗談半分で試してみることにしました。最初にかけてみて感じたことは水でぬらした時と比べて乾くのに３倍位かかることでした。髪の毛を手で触ると水気がないのにがさつかず、しっとり感があるのがよくわかりました。２週間位目から白髪の部分が茶色がかってきて１ヶ月を過ぎた頃から濃いグレーになってきました。４ヶ月たってまだ真っ黒にはなっていませんが濃いグレーのままで、新しくはえてきた毛も同じ色です。白髪はほとんど気にならなくなりました。黒い部分は何の変化もありません。一番嬉しいのは白髪特有のかさつきがなくしっとりとした感じが戻ったことです。
【００８４】
＜（Ｄ）モード＞
特許第３４９０３４９号に係る育毛水を得るモード
図８（ａ）はマルチポートロータリー弁が図４（ｄ）の状態に、図８（ｂ）はマルチポートロータリー弁が図４（ｃ）の状態になっている場合の（Ｄ）モード時の主要部の設定を示すモデル図である。
【００８５】
マルチポートロータリー弁を通じて供給される水道水（第１の原水）は０．８〜１Ｌ／分、温泉水２がこれと混合するように、選択弁１３がセットされポンプ１４が作動する。
【００８６】
用いる温泉水は天然温泉で、得られる陽極処理水はｐＨ２．２〜２．８、酸化還元電位は１１２０〜１１７０ｍＶ（１０００ｍＶ以上であることが必要である）となる。有効塩素濃度は２０〜３０ｐｐｍとなり殺菌能力もある。また金属イオン、特にマグネシウム、カリウム、硫黄成分が働いて強力な育毛作用を有する処理水が得られると考えられる。
【００８７】
マルチポートロータリー弁を通じて供給される水道水（第１の原水）は１．６〜２Ｌ／分。印加電圧は２０Ｖ固定とし、電解電流が１０Ａとなるまでポンプ１４の吐出流量を上げる。なお、ポンプ１４の最大吐出量は２００ｍＬ／分である。
【００８８】
＜（Ｅ）モード＞
ミネラル豊富なマイナスイオン水（飲料用）を得るモード
水道原水にナトリウム、マグネシウム、カリウム等の金属イオンを有する天然にがりを添加して電解した陰極水であり、ミネラル豊富なマイナスイオン水（飲料用）が得られる。用いるにがりとしては、１００ｍＬ中ナトリウム４０００ｍｇ、マグネシウム４０００ｍｇ、カリウム１２００ｍｇ程度含むものを３０倍程度に希釈した溶液（薬剤４１）を用いる。
【００８９】
図９（ａ）はマルチポートロータリー弁が図４（ｂ）の状態に、図９（ｂ）はマルチポートロータリー弁が図４（ａ）の状態になっている場合の主要部の状態を示すモデル図である。
【００９０】
電解電圧は２０Ｖ固定とし、最大電流は５Ａとする。水道水の供給量は８Ｌ／分で薬剤４１がこれと混合するように、選択弁１３がセットされポンプ１４が作動する。電流の上限は５Ａとし、これに達するまでポンプ１４の吐出量を上げる。
【００９１】
＜（Ｆ）モード＞
アルカリイオン水とするのに充分な導電率を有しない原水からアルカリイオン水（陰極水）（飲料用）を得るモード
【００９２】
地方により、水道水の導電率が違い、上記（Ａ）モードにおいて、印加電圧を４８Ｖとした場合であって、目的とするようなアルカリイオン水が得られない場合がある。（Ｆ）モードは原水の供給量を（Ａ）モードに比べ減らして行う。
【００９３】
図１０（ａ）はマルチポートロータリー弁が図４（ｄ）の状態に、図１０（ｂ）はマルチポートロータリー弁が図４（ｃ）の状態になっている場合の主要部の設定を示すモデル図である。なお、このモードでは標準的な、電解槽に供給される水量は、マルチポートロータリー弁６を通過する２Ｌ／分であるが、少なすぎる場合には、操作スイッチ１９を操作することにより、バイパス路８の電磁弁８ａを開くことができ、バイパス路８を原水が通過し、マルチポートロータリー弁６を通過する２Ｌ／分、及び、バイパス路８を通過する３Ｌ／分の計５Ｌ／分となる（図１０（ａ）及び図１０（ｂ）はバイパス路８の電磁弁８ａが開いた状態を示す）。
【００９４】
初期電圧は１４Ｖであるが、電流値が５Ａに達するまで１４Ｖ、２０Ｖ、３５Ｖ、４８Ｖと段階的に上げていき、５Ａを越えた場合には一段下げる。このとき２０Ｖとしたときに５Ａに達した場合には自動的にバイパス路８の電磁弁８ａが開き、再度、電流値が５Ａに達するまで１４Ｖ、２０Ｖ、３５Ｖ、４８Ｖと段階的に上げていき、５Ａを越えた場合
には一段下げる。
【００９５】
＜（Ｇ）モード＞
上記（Ｆ）モードで対象となった充分な導電率を有しない原水から、周知の肌水、アストリンゼント効果があるとして用いられている通常電解水（陽極水）を得るモード
【００９６】
図１１（ａ）はマルチポートロータリー弁が図４（ｄ）の状態に、図１１（ｂ）はマルチポートロータリー弁が図４（ｃ）の状態になっている場合の主要部の設定を示すモデル図である。なお、このモードでは標準的な、電解槽に供給される水量は、マルチポートロータリー弁６を通過する２Ｌ／分であるが、少なすぎる場合には、操作スイッチ１９を操作することにより、バイパス路８の電磁弁８ａを開くことができ、バイパス路８を原水が通過し、マルチポートロータリー弁６を通過する２Ｌ／分、及び、バイパス路８を通過する３Ｌ／分の計５Ｌ／分となる（図１１（ａ）及び図１１（ｂ）はバイパス路８の電磁弁８ａが開いた状態を示す）。
【００９７】
初期電圧は１４Ｖであるが、電流値が５Ａに達するまで印加電圧を１４Ｖ、２０Ｖ、３５Ｖ、４８Ｖと段階的に上げていき、５Ａを越えた場合には一段下げる。このとき２０Ｖとしたときに５Ａに達した場合には自動的にバイパス路８の電磁弁８ａが開き、再度、電流値が５Ａに達するまで印加電圧を１４Ｖ、２０Ｖ、３５Ｖ、４８Ｖと段階的に上げていき、５Ａを越えた場合には一段下げる。
【００９８】
上記記載からも理解できるように、実施例では、原水として２種類以上のものを用い、水電解装置への供給水として第１の原水のみを水電解装置に供給させる状態（状態１−１）と水電解装置への供給水として第１の原水とその他の原水とを水電解装置へ混合供給する状態（状態１−２）との間で切り替えることができる原水切換手段は選択弁１３、ポンプ１４及びこれらを制御するＭＰＵ１８から構成されている。
【００９９】
また、操作者が電解処理された水を採取するための該水電解装置用補助装置の補助装置処理水取水口へ上記水電解装置の陽極電解処理済水排出口から排出された陽極電解処理済水を供給する状態（状態３−１）と該水電解装置用補助装置の補助装置処理水取水口へ上記水電解装置の陰極電解処理済水排出口から排出された陰極電解処理済水を供給する状態（状態３−２）との処理水排水切換手段は印加電圧の極性を変えることができる電解用電源部１６、マルチポートロータリー弁６、ステッピングモーター１７及びこれらを制御するＭＰＵ１８から構成されている。
【０１００】
水電解装置の電解槽内の陽極と陰極との間に印加される電圧を無印加とする状態（状態２−０）、印加する状態（状態２−１）とに切り替える電解電圧印加手段、および、上記水電解装置用補助装置の電解電圧切換手段が水電解装置の電解槽内の陽極と陰極との間に電圧を印加する状態（状態２−１）のときに、水電解装置の電解槽内の陽極と陰極との間に印加される該電圧を変更する電解電圧変更手段とは、電解用電源部１６及びこれを制御するＭＰＵ１８から構成されている。
【０１０１】
また水電解装置の原水供給口に、薬剤４１を供給可能とする、にがり添加手段は、ポンプ１４、選択弁１３、及び、これらを制御するＭＰＵ１８から構成されている。
【０１０２】
さらに上記水電解装置の原水供給口へ供給する原水の量を減少させる供給水減水手段は、バイパス路８、電磁弁８ａ、マルチポートロータリー弁６、ステッピングモーター１７及びこれらを制御するＭＰＵ１８から構成されている。
【産業上の利用可能性】
【０１０３】
市販のマイナスイオン水製造器（水電解装置）を利用し、これにセットすることにより、あるいは／及び、わずかな改造を行うことにより、特許第３４９０３４９号に係る優れた育毛水を得ることができる。さらには、白髪改善水を得ることもできる。
【図面の簡単な説明】
【０１０４】
【図１】本発明に係る水電解装置用補助装置を市販のマイナスイオン水製造器（水電解装置）及び水道栓３０に接続された状態で示す図である。
【図２】マルチポートロータリー弁の外観を示す斜視図である。
【図３】マルチポートロータリー弁の分解説明図である。（ａ）マルチポートロータリー弁の外筒部の斜視図である。（ｂ）図３（ａ）右側から見た側面図である。（ｃ）外筒部の軸を含む平面で切った断面図である。（ｄ）内筒部の斜視図である。（ｅ）内筒部からパッキン部材を除去し、蓋部をはずした分解斜視図である。（ｆ）内筒部のその軸を含む断面での断面図である。（ｇ）図３（ｆ）の平面αでの断面図である。（ｈ）図３（ｆ）の平面βでの断面図である。（ｉ）図３（ｆ）の平面γでの断面図である。
【図４】マルチポートロータリー弁６の各部の動きと内部に流体を通過させたときの状態を示すモデル断面図である。（ａ）クロス流路状態であって、流量調整器が流量を絞っていない状態（流量調整器の狭隘部を有する孔が導流量調整器導入配管接続部と導流量調整器導出配管接続部とのどちらにも接続しない状態）を示す図である。（ｂ）パラレル流路状態であって、流量調整器が流量を絞っていない状態を示す図である。（ｃ）クロス流路状態であって、流量調整器が流量を絞っている状態（流量調整器の狭隘部を有する孔が導流量調整器導入配管接続部と導流量調整器導出配管接続部とのどちらかに接続している状態）を示す図である。（ｄ）パラレル流路状態であって、流量調整器が流量を絞っている状態を示す図である。
【図５】（Ａ）モードでの主要各部の設定状態を示すモデル図である。
【図６】（Ｂ）モードでの主要各部の設定状態を示すモデル図である。
【図７】（Ｃ）モードでの主要各部の設定状態を示すモデル図である。
【図８】（Ｄ）モードでの主要各部の設定状態を示すモデル図である。
【図９】（Ｅ）モードでの主要各部の設定状態を示すモデル図である。
【図１０】（Ｆ）モードでの主要各部の設定状態を示すモデル図である。
【図１１】（Ｇ）モードでの主要各部の設定状態を示すモデル図である。
【符号の説明】
【０１０５】
１  電解槽（水電解装置）
１ａ  陽極
１ｂ  陰極
１ｃ  原水供給口
１ｄ  陽極電解処理済水排出口
１ｅ  陰極電解処理済水排出口
２    温泉水
３    補助装置処理水取水口
４    熱水防止リリース弁
５    導水マニホールド
６    マルチポートロータリー弁
６１  流量調整器
７    排水部
８    バイパス路
８ａ  電磁弁
９    水冷式冷却装置
１０    活性炭フィルタ
１１    カルシウム添加筒
１３    選択弁
１４    ポンプ
１５    逆止弁
１６    電解用電源部
１７    ステッピングモーター
１８    制御装置（ＭＰＵ）
１９    操作スイッチ
２０    表示装置
Ｏ１〜Ｏ６    出力ポート
Ｉ１〜Ｉ３    入力ポート
２１    流量センサ
３    取水切替弁
３０  水道栓
４１  天然にがりなどの薬剤
【図１】
2005325447.tif 000003
【図２】
2005325447.tif 000004
【図３】
2005325447.tif 000005
【図４】
2005325447.tif 000006
【図５】
2005325447.tif 000007
【図６】
2005325447.tif 000008
【図７】
2005325447.tif 000009
【図８】
2005325447.tif 000010
【図９】
2005325447.tif 000011
【図１０】
2005325447.tif 000012
【図１１】
2005325447.tif 000013